【事件の表示】
　特願２０１４−２２６１９３「遊技機」拒絶査定不服審判事件〔平成２７年　３月１２日出願公開、特開２０１５−　４４０４１、請求項の数（１）〕について、次のとおり審決する。
【結　論】
　原査定を取り消す。
　本願の発明は、特許すべきものとする。
【理　由】
第１　手続の経緯
　本願は、平成２５年１月２９日に出願した特願２０１３−１４０７０号の一部を平成２６年１１月６日に新たな特許出願（特願２０１４−２２６１９３号）としたものであって、平成２７年４月２２日付けで手続補正書が提出され、平成２８年３月４日付けで拒絶理由が通知され、平成２８年４月２８日付けで意見書及び手続補正書が提出され、平成２８年５月１７日付けで最後の拒絶理由が通知され、平成２８年７月１３日付けで意見書及び手続補正書が提出され、平成２８年８月１日付けで平成２８年７月１３日付けの手続補正が却下されるとともに拒絶査定（原査定）がなされ、これに対し、平成２８年１１月２日に拒絶査定不服審判の請求がなされると同時に手続補正書が提出されたものである。
第２　平成２８年８月１日付けの補正の却下の決定及び原査定の概要
１．平成２８年８月１日付けの補正の却下の決定の概要
　平成２８年７月１３日付けの補正は、特許請求の範囲の限定的減縮を目的とするものであるが、当該補正後の本願請求項１に係る発明は、引用文献１−３に基づいて、その発明の属する技術の分野における通常の知識を有する者（以下、「当業者」という。）が容易に発明できたものであり、独立特許要件を満たさないから、平成２８年７月１３日付けの補正は却下すべきものである。
引用文献等一覧
１．特開２００９−２７９２７４号公報
２．特開２０１１−１３５９１６号公報
３．特開２００７−３０７２５１号公報
２．原査定（平成２８年８月１日付け拒絶査定）の概要
　平成２８年４月２８日付け手続補正書でした補正は、その補正後の請求項１に係る発明が、その補正前に受けた拒絶理由通知において特許をすることができないものか否かについての判断が示された発明と、特許法第３７条の発明の単一性の要件を満たす一群の発明に該当するものではないから、同法第１７条の２第４項に規定する要件を満たしていない。
第３　本願発明
　本願の請求項１に係る発明（以下、「本願発明」という。）は、平成２８年１１月２日付けの手続補正で補正された特許請求の範囲の請求項１に記載された事項により特定される以下のとおりの発明である（Ａ〜Ｈは、本願発明を分説するため当審で付した。）。
「【請求項１】
Ａ　遊技者に有利な特別遊技を実行するか否かを判定し、当該判定の結果に応じて特別遊技を実行する遊技機であって、
Ｂ　演出画像を表示する第１の表示画面と、
Ｃ　前記第１の表示画面の前側において前記第１の表示画面の一端側に配置される、演出画像を表示する第２の表示画面と、
Ｄ　前記第１の表示画面の前側において、前記第１の表示画面を基準とした前記第２の表示画面の反対側となる他端側に前記第２の表示画面から離れて配置される、演出画像を表示する第３の表示画面とを備え、
Ｅ　前記第２の表示画面および前記第３の表示画面は、前記第１の表示画面において実行される、演出内容が段階的に発展することが可能な段階演出の発展と共に、前記第１の表示画面の前記一端側および他端側において離れて配置される第１状態から互いに近づいた第２状態となるように動作することが可能であり、
Ｆ　前記第２の表示画面および前記第３の表示画面が前記第１状態から前記第２状態となる動作と共に、前記第１の表示画面における段階演出に用いられる演出画像の表示領域を変更可能であり、
Ｇ　前記第２の表示画面および前記第３の表示画面が前記第１状態から前記第２状態となるときに、前記第２の表示画面と前記第３の表示画面に互いに異なる演出画像を表示可能であり、
Ｈ　前記第２状態において、前記第１の表示画面における、前記第２の表示画面および前記第３の表示画面よりも外側の領域に演出画像を表示可能である、遊技機。」
第４　引用文献
１．引用文献１
　原審の補正の却下の決定において引用された引用文献１（特開２００９−２７９２７４号公報）には、図面とともに次の事項が記載されている。
（ア）　「【請求項１】
　遊技領域が形成された遊技盤と、
　前記遊技領域の所定位置に設けられ、遊技球の入球が抽選の契機となる始動口と、
　前記始動口への入球を契機として、
通常遊技より遊技者に有利な状態である特別遊技へ移行するか否かを判定するための当否抽選を実行する当否抽選手段と、
　前記当否抽選の結果を示すための図柄の変動画像を含む所定の演出画像が画面に表示される演出表示装置と、
　前記演出表示装置とは別に前記当否抽選の結果を示すための図柄を変動表示可能な表示部を有するとともに、前記演出表示装置の前面側でその演出表示装置の画面の一部を覆い隠すように進退可能に配設された可動表示装置と、
　前記可動表示装置を進退させる駆動機構を駆動制御する駆動制御手段と、
　前記演出表示装置および前記可動表示装置における図柄の変動表示における変動開始から停止までの変動過程が定められた複数の変動パターンと、前記可動表示装置の動作過程が定められた複数の駆動パターンとが対応付けられた複数の演出パターンを保持するパターン記憶手段と、
　遊技状態に応じて前記複数の演出パターンのいずれかを決定する演出決定手段と、
　決定された演出パターンにしたがって、前記演出表示装置および前記可動表示装置のいずれか一方を主体的な表示領域として前記図柄を変動表示させる表示制御手段と、
　
前記当否抽選が前記特別遊技への移行を示す結果となり、前記当否抽選が当たりであることを示す所定の停止態様にて前記図柄の変動表示が停止したときに前記特別遊技を実行する特別遊技制御手段と、
　を備えたことを特徴とする弾球遊技機。
（イ）　「【００２６】
　遊技領域５２の左方に設けられた特別図柄表示装置６１および遊技領域５２の略中央に設けられた
演出表示装置６０は、それぞれの画面に特別図柄１９２の変動と、特別図柄１９２に連動する装飾図柄１９０（「第１の装飾図柄」として機能する）を含む演出画像の変動を表示する
（ウ）　「【００３６】
　
可動表示装置１５０は、比較的厚みが小さい長方形板状のＬＥＤ表示装置からなり、その前面側に図柄表示部２１０を有する。図柄表示部２１０の左右および中央には７セグメントＬＥＤが配置され、それによって装飾図柄２１１（「第２の装飾図柄」として機能する）を構成する３列の図柄が表示可能となっている。
【００３７】
　可動表示装置１５０の左右には一対のアーム２１２が延出し、各アーム２１２の先端に柱状の支持部２１４が設けられている。ケース２０２の左右には、開口部２０６を挟むように一対のガイド部２１６が上下に延びるように配設されており、左右の支持部２１４がそれぞれ摺動可能に配置されている。アーム２１２が支持部２１４からやや前方に延びるように設けられることで、可動表示装置１５０を前方にやや突出させている。
可動表示装置１５０は、その昇降により下方から表示画面２０８の前面側に進退可能になっており、表示画面２０８に進出すると、その一部を覆い隠すようになる。
（エ）　「【００６２】
　図５は、演出表示装置と可動表示装置との連携により実行される転換表示演出の一例を表す図である。図中の太線矢印は、可動表示装置１５０の動作方向を表している。  
　同図には、演出表示装置６０における図柄の変動表示をその変動過程で可動表示装置１５０に移すようにして継続的に表示させるとともに、演出表示装置６０における図柄の変動表示を消滅させて図柄の主体的な表示領域を切り替える転換表示を行う例が示されている。この転換表示演出における装飾図柄１９０および装飾図柄２１１の変動パターンと、可動表示装置１５０の駆動パターンは１つの演出パターンとして対応付けられ、パターン記憶手段１３０に保持されている。演出決定手段１３２が、当否抽選の結果に応じてこの演出パターンを選択する。
【００６３】
　
同図（ａ）においては、演出表示装置６０における表示画面２０８の中央に、装飾図柄１９０が比較的大きく表示されている。
（オ）　「【００６７】
　図７は、演出表示装置と可動表示装置との連携により実行される転換表示演出のさらに他の例を表す図である。図中の太線矢印は、可動表示装置１５０の動作方向を表している。　この例では、可動表示装置１５０に一旦転換された装飾図柄の変動表示が、再度演出表示装置６０に転換表示される再転換表示が行われている。
【００６８】
　
同図（ａ）においては、可動表示装置１５０が演出表示装置６０の下半部に位置し、装飾図柄２１１の変動表示を継続させている。この状態は、例えば図５や図６に示される演出過程を経て実現される。図示の例では、演出表示装置６０の表示画面２０８において拡大された表示領域に、いわゆるステップアップ予告演出のステップ３が表示されている。なお、ステップアップ予告演出とは、予告演出において当否抽選の結果が当たりである期待度を段階的に示唆する演出であり、
（カ）　「【００７０】
　図８は、演出表示装置と可動表示装置との連携により実行される転換表示演出のさらに他の例を表す図である。
図中の太線矢印は、可動表示装置１５０の動作方向を表している。この例では、可動表示装置１５０の進退動作と演出表示装置６０に表示される演出画像との協働により一つの演出が構成されている。
【００７１】
　同図（ａ）には、転換表示によって可動表示装置１５０の図柄表示部２１０における左右の領域に装飾図柄２１１が表示された後、その中央図柄を転換させる過程が示されている。同図（ｂ）および（ｃ）にも示すように、その転換表示の過程で装飾図柄１９０の中央図柄「８」を図柄表示部２１０に移そうとしているが、同図柄が抵抗してなかなか転換できないといった演出がなされている。同図（ｃ）に示すように、中央図柄に圧力をかけることで、漸く同図（ｄ）に示すように中央図柄の転換表示が完了している。」
（キ）図８には、図８（ａ）として、上方向の太線矢印と縦方向の大きさが小さな中央図柄「８」が、図８（ｂ）として、下方向の太線矢印と縦方向の大きさが大きく変更された中央図柄「８」が、図８（ｃ）として、下方向の太線矢印と縦方向の大きさが図８（ａ）よりもさらに小さく変更された中央図柄「８」が図示されている。
（ク）上記（カ）の【００７０】には、図８について、「図中の太線矢印は、可動表示装置１５０の動作方向を表している。 この例では、可動表示装置１５０の進退動作と演出表示装置６０に表示される演出画像との協働により一つの演出が構成されている。」と記載されているから、上記（カ）の記載事項及び上記（キ）の認定事項より、引用文献１には、
可動表示装置１５０を進退動作させ、その進退動作と共に、中央図柄「８」の縦方向の大きさを変更する
（ケ）図６には、図６（ａ）として、演出表示装置６０の下方に配置された可動表示装置１５０と上方向の太線矢印が、図６（ｂ）として、演出表示装置６０の中央付近に配置された可動表示装置１５０と下方向の太線矢印が、図６（ｃ）として、演出表示装置６０の下方に配置された可動表示装置１５０と、その上部の「スーパーリーチ」との表示が図示されている。
（コ）上記（オ）の【００６８】には、「同図（ａ）においては、可動表示装置１５０が演出表示装置６０の下半部に位置し、装飾図柄２１１の変動表示を継続させている。この状態は、例えば図５や図６に示される演出過程を経て実現される。図示の例では、演出表示装置６０の表示画面２０８において拡大された表示領域に、いわゆるステップアップ予告演出のステップ３が表示されている。」との記載があり、上記（ケ）の認定事項より、図６は可動表示装置１５０が進退動作を行う演出過程を図示しているといえる。そうすると、上記記載より、引用文献１には、
可動表示装置１５０が進退動作を行う演出過程を経て、表示画面２０８にステップアップ予告演出のステップ３が表示される
（サ）上記（ア）の【請求項１】には、「前記始動口への入球を契機として、通常遊技より遊技者に有利な状態である特別遊技へ移行するか否かを判定するための当否抽選を実行する当否抽選手段と、」及び、「前記当否抽選が前記特別遊技への移行を示す結果となり、前記当否抽選が当たりであることを示す所定の停止態様にて前記図柄の変動表示が停止したときに前記特別遊技を実行する弾球遊技機」との記載があり、弾球遊技機は、「当否抽選を実行」し、「前記当否抽選が前記特別遊技への移行を示す結果」となると、「前記当否抽選が当たりであることを示す所定の停止態様にて前記図柄の変動表示が停止」した状態を経て、「前記特別遊技を実行する」ものであるから、引用文献１には、
弾球遊技機は、遊技者に有利な状態である特別遊技へ移行するか否かを判定するための当否抽選を実行し、当否抽選の結果に応じて特別遊技を実行するものであること
（シ）上記（イ）の【００２６】には、「演出表示装置６０は、それぞれの画面に特別図柄１９２の変動と、特別図柄１９２に連動する装飾図柄１９０（「第１の装飾図柄」として機能する）を含む演出画像の変動を表示する」と記載されており、上記（エ）の【００６３】には、「同図（ａ）においては、演出表示装置６０における表示画面２０８の中央に、装飾図柄１９０が比較的大きく表示されている。」と記載されているから、引用文献１には、
装飾図柄１９０を含む演出画像の変動は、演出表示装置６０の表示画面２０８に表示される
　以上、（ア）〜（カ）の記載事項及び（キ）〜（シ）の認定事項から、上記引用文献１には次の発明（以下、「引用発明１」という。）が記載されていると認められる。（ａ〜ｆは、本願発明のＡ〜Ｈに対応させて付した。）
「ａ　遊技者に有利な状態である特別遊技へ移行するか否かを判定するための当否抽選を実行し、当否抽選の結果に応じて特別遊技を実行する弾球遊技機であって、（サ）
ｂ　装飾図柄１９０を含む演出画像の変動を表示する演出表示装置６０の表示画面２０８と、（シ）
ｃ　装飾図柄２１１を構成する３列の図柄が表示可能な図柄表示部２１０を有し、昇降により下方から表示画面２０８の前面側に進退可能になっており、表示画面２０８に進出すると、その一部を覆い隠すようになる可動表示装置１５０と、を備え、（ウ）
ｅ　可動表示装置１５０が進退動作する演出過程を経て、演出表示装置６０の表示画面２０８には予告演出において当否抽選の結果が当たりである期待度を段階的に示唆するステップアップ予告演出のステップ３が表示され、（オ）、（コ）
ｆ　可動表示装置１５０を進退動作させ、その進退動作と共に、中央図柄「８」の縦方向の大きさが変更され、可動表示装置１５０の進退動作と演出表示装置６０に表示される演出画像との協働による演出がなされる、弾球遊技機。（ク）」
２．引用文献２
　原審の補正の却下の決定において引用された引用文献２（特開２０１１−１３５９１６号公報）には、図面とともに次の事項が記載されている。
（ア）　「【００１８】
　本第１実施例のパチンコ遊技機は、
図１ないし図２６に示されるように複数の識別可能な装飾図柄を変動表示、停止表示またはおよび停止表示の一形態としての仮停止表示可能な図柄変動装置５と、複数のステップアップ予告演出表示態様を段階的に切り換えて前記図柄変動装置５に表示することにより、遊技者に表示するためのステップアップ予告表示指令を出力するステップアップ予告手段５１６を備えたパチンコ遊技機において、
（イ）　「【０２１１】
　本第２実施例における４段階のステップアップ予告演出態様は、図２７（ａ）および（ｂ）に示されるように前記可動役物１４１またはおよび１４２の作動態様によって、遊技者に対して認識可能に表示されるものであり、ステップアップ予告演出が表示されていない状態においては、前記可動役物１４１は、前記センター役物４の左方部分に設けられた収容部に収容されて遊技者から認識困難な位置において停止状態が維持されるとともに、前記可動役物１４２は前記センター役物４の右方上方部分に設けられた配設部に配設されて遊技者から認識容易な位置において停止状態が維持されるように構成される。
・・・
【０２１３】
　略腕形状の前記可動役物１４２は、ステップアップ予告演出作動態様の最終段階であるＳＵ４の表示態様が表示される状態において、ステップアップ予告作動指令またはステップアップ予告再開作動指令に基づき、前記センター役物４に設けられた配設部から略腕形状の肘部分に相当する位置を支点として、図中反時計方向の下方に揺動駆動されることにより、ＳＵ３の段階まで揺動突出駆動された前記可動役物１４１と連動して接近して、前記可動役物１４１の作動態様と併せてステップアップ予告演出作動態様のＳＵ４のステップアップ予告演出作動態様を遊技者に対して表示可能に構成される。
【０２１４】
　前記可動役物１４１および１４２は、図２７（ｂ）中に一例として数字表示して示されるように、ステップアップ予告演出作動態様を表示する時において、
遊技者が数字、漢字、その他文字、キャラクタなどを認識出来るように前記発光手段１４１Ｌおよび１４２Ｌが発光することにより、ステップアップ予告演出作動態様の４つの段階を表示する
（ウ）第２７図には、第２７図（ａ）として、図柄変動装置５の右側に配置された可動役物１４２が、第２７図（ｂ）ＳＵ４として、互いに近づいた状態の図柄変動装置５の左側に配置される可動役物１４１と図柄変動装置５の右方に配置される可動役物１４２とが図示されている。
（エ）上記（イ）の記載及び（ウ）の認定事項を参酌すると、引用文献２には、
図柄変動装置５の一端側に配置される可動役物１４１と、図柄変動装置５を基準として可動役物１４１の反対側となる他端側に可動役物１４１から離れて配置される可動役物１４２とが、図柄変動装置５の一端側および他端側において離れて配置される第１状態から互いに近づいた第２状態となるように動作すること可能である
　上記の（ア）、（イ）の記載事項及び（ウ）、（エ）の認定事項から、上記引用文献２には次の事項（以下、「引用文献２に記載の事項」という。）が記載されていると認められる。
「図柄変動装置５と、
　図柄変動装置５の一端側に配置され、発光手段１４１Ｌが発光することにより、ステップアップ予告演出作動態様の段階を表示する可動役物１４１と、
　図柄変動装置５を基準として可動役物１４１の反対側となる他端側に配置され、発光手段１４２Ｌが発光することにより、ステップアップ予告演出作動態様の段階を表示する可動役物１４２とを備え、
　可動役物１４１及び可動役物１４２は、図柄変動装置５の一端側および他端側において離れて配置される第１状態から互いに近づいた第２状態となるように動作することが可能である、パチンコ遊技機」
３．引用文献３
　原審の補正の却下の決定において引用された引用文献３（特開２００７−３０７２５１号公報）には、図面とともに次の事項が記載されている。
（ア）　「【０１２３】
　
センター役物３００の開口部３０１に配置された液晶表示装置１１５は、図８に示すように、左液晶表示装置１１５ａ、右液晶表示装置１１５ｂおよび中液晶表示装置１１５ｃの三つの液晶表示装置から構成されている。
（イ）　「【０１７１】
　図１３に基づき液晶表示装置の動作について説明する。図１３は、液晶表示装置１１５の構成にて三面の表示領域から二面の表示領域に切替えられる過程を上方から示す平面図である。なお、図中の一点鎖線は、センター役物３００の開口部３０１の横幅（左右方向の幅）を示す。」
（ウ）　「【０３２０】
　
また、装飾図柄１１０ａ〜１１０ｃの各々の変動表示は、液晶表示装置１１５の全域の表示領域にて右方から左方に向けて変動する横スクロールの表示態様で表示制御される。
（エ）図１３には、図１３（Ｂ）として、中液晶表示装置１１５ｃ、中液晶表示装置１１５ｃの左前側の液晶表示装置１１５ａ、中液晶表示装置１１５ｃの右前側の右液晶表示装置１１５ｂ、液晶表示装置１１５ａの上側の右方向の矢印、右液晶表示装置１１５ｂの上側の左方向の矢印が、図１３（Ｅ）として、中液晶表示装置１１５ｃ、中液晶表示装置１１５ｃの前側で互いに近づいた左液晶表示装置１１５ａ及び右液晶表示装置１１５ｂが図示されている。
（オ）上記（イ）の記載及び（エ）の認定事項を参酌すると、引用文献３には、
左液晶表示装置１１５ａが、中液晶表示装置１１５ｃの前側において中液晶表示装置１１５ｃの一端側に配置され、右液晶表示装置１１５ｂが、中液晶表示装置１１５ｃの前側において、中液晶表示装置１１５ｃを基準とした左液晶表示装置１１５ａの反対側となる他端側に左液晶表示装置１１５ａから離れて配置され、左液晶表示装置１１５ａおよび右液晶表示装置１１５ｂが、中液晶表示装置１１５ｃの一端側および他端側において離れて配置される第１３図（Ｂ）の第１状態から、左液晶表示装置１１５ａおよび右液晶表示装置１１５ｂが、互いに近づいた第１３図（Ｅ）の第２状態となるように動作する
（カ）上記（ウ）の【０３２０】には、「また、装飾図柄１１０ａ〜１１０ｃの各々の変動表示は、液晶表示装置１１５の全域の表示領域にて右方から左方に向けて変動する横スクロールの表示態様で表示制御される。」と記載されているから、引用文献３には、
左液晶表示装置１１５ａ及び右液晶表示装置１１５ｂは、中液晶表示装置１１５ｃと協働して装飾図柄１１０ａ〜１１０ｃの変動表示が横スクロールの表示態様で行われる
　以上、（ア）〜（ウ）の記載事項及び（エ）〜（カ）の認定事項から、上記引用文献３には次の事項（以下、「引用文献３に記載の事項」という。）が記載されていると認められる。
「装飾図柄１１０ａ〜１１０ｃの変動表示を行う中液晶表示装置１１５ｃと、
　中液晶表示装置１１５ｃの前側において中液晶表示装置１１５ｃの一端側に配置され、中液晶表示装置１１５ｃと協働して装飾図柄１１０ａ〜１１０ｃの変動表示を横スクロールの表示態様で行う左液晶表示装置１１５ａと、
　中液晶表示装置１１５ｃの前側において、中液晶表示装置１１５ｃを基準とした左液晶表示装置１１５ａの反対側となる他端側に左液晶表示装置１１５ａから離れて配置され、中液晶表示装置１１５ｃと協働して装飾図柄１１０ａ〜１１０ｃの変動表示を横スクロールの表示態様で行う右液晶表示装置１１５ｂとを備え、
　左液晶表示装置１１５ａおよび右液晶表示装置１１５ｂは、中液晶表示装置１１５ｃの一端側および他端側において離れて配置される第１状態から互いに近づいた第２状態となるように動作することが可能な遊技機」
第５　対比・判断
１．本願発明について
（１）対比
　本願発明と引用発明１とを対比する（下記の（ａ）〜（ｆ）は、引用発明１の構成に対応している。）。
（ａ）引用発明１における「遊技者に有利な状態である特別遊技へ移行するか否かを判定するための当否抽選を実行」、及び、「弾球遊技機」は、それぞれ本願発明における「遊技者に有利な特別遊技を実行するか否かを判定」、及び、「遊技機」に相当する。
　よって、引用発明１における「遊技者に有利な状態である特別遊技へ移行するか否かを判定するための当否抽選を実行し、当否抽選の結果に応じて特別遊技を実行する弾球遊技機」は、本願発明の「遊技者に有利な特別遊技を実行するか否かを判定し、当該判定の結果に応じて特別遊技を実行する遊技機」に相当する。
（ｂ）引用発明１における「装飾図柄１９０を含む演出画像」は、本願発明における「演出画像」に相当する。
　よって、引用発明１における「装飾図柄１９０を含む演出画像の変動を表示する演出表示装置６０の表示画面２０８」は、本願発明の「演出画像を表示する第１の表示画面」に相当する。
（ｃ）引用発明１における「図柄表示部２１０」、及び、「下方」は、本願発明における「第２の表示画面」、及び、「第１の表示画面の一端側」に相当する。また、「図柄表示部２１０」を有する「可動表示装置１５０」は「昇降により下方から表示画面２０８の前面側に進退可能になっており、表示画面２０８に進出すると、その一部を覆い隠すようになる」ものであるから、「表示画面２０８」（第１の表示画面）の前側に配置されていることは、当業者にとって自明である。
　よって、引用発明１における「装飾図柄２１１を構成する３列の図柄が表示可能な図柄表示部２１０を有し、昇降により下方から表示画面２０８の前面側に進退可能になっており、表示画面２０８に進出すると、その一部を覆い隠すようになる可動表示装置１５０」は、本願発明の「前記第１の表示画面の前側において前記第１の表示画面の一端側に配置される」、「第２の表示画面」に相当する。
（ｅ）引用発明１において、「演出表示装置６０の表示画面２０８には予告演出において当否抽選の結果が当たりである期待度を段階的に示唆するステップアップ予告演出のステップ３」が表示されるから、引用発明１の「表示画面２０８」（第１の表示画面）において、本願発明における「演出内容が段階的に発展することが可能な段階演出」が実行されるといえる。
　よって、引用発明１における「可動表示装置１５０が進退動作する演出過程を経て、演出表示装置６０の表示画面２０８には予告演出において当否抽選の結果が当たりである期待度を段階的に示唆するステップアップ予告演出のステップ３が表示され」ることと本願発明の「前記第２の表示画面および前記第３の表示画面は、前記第１の表示画面において実行される、演出内容が段階的に発展することが可能な段階演出の発展と共に、前記第１の表示画面の前記一端側および他端側において離れて配置される第１状態から互いに近づいた第２状態となるように動作することが可能」であることとは、第１の表示画面において演出内容が段階的に発展することが可能な段階演出の発展が実行され、また、第３の画面は動作可能である点で共通する。
（ｆ）引用発明１において、「中央図柄「８」」は、本願発明における「演出画像」に相当する。また、引用発明１において、「中央図柄「８」の縦方向の大きさが変更」されることは、本願発明における「演出画像の表示領域を変更可能」とされることに相当する。さらに、引用発明１において、「可動表示装置１５０を昇降させ、その昇降動作と共に、中央図柄「８」の縦方向の大きさが変更され」ているから、可動表示装置１５０の動作と共に、表示画面２０８における段階演出に用いられる演出画像の表示領域を変更可能であるといえる。
　よって、引用発明１において、「可動表示装置１５０を進退動作させ、その進退動作と共に、中央図柄「８」の縦方向の大きさが変更され、可動表示装置１５０の進退動作と演出表示装置６０に表示される演出画像との協働による演出がなされる」ことと、本願発明における「前記第２の表示画面および前記第３の表示画面が前記第１状態から前記第２状態となる動作と共に、前記第１の表示画面における段階演出に用いられる演出画像の表示領域を変更可能」であることとは、第２の表示画面の動作と共に第１の表示画面における演出画像の表示領域を変更可能である点で共通する。
　したがって、本願発明と引用発明１とは、
「Ａ　遊技者に有利な特別遊技を実行するか否かを判定し、当該判定の結果に応じて特別遊技を実行する遊技機であって、
Ｂ　演出画像を表示する第１の表示画面と、
Ｃ’前記第１の表示画面の前側において前記第１の表示画面の一端側に配置される第２の表示画面と、を備え、
Ｅ’第１の表示画面において演出内容が段階的に発展することが可能な段階演出の発展が実行され、第２の表示画面は動作することが可能であり、
Ｆ’第２の表示画面の動作と共に、前記第１の表示画面における演出画像の表示領域を変更可能である、遊技機。」
である点で一致し、以下の点で相違する。
（相違点１）本願発明は「第２の表示画面」が「演出画像を表示する」ものであるのに対し、引用発明１における「図柄表示部２１０」は、「装飾図柄２１１を構成する３列の図柄」を表示するものである点。（構成Ｃ）
（相違点２）本願発明は「前記第１の表示画面の前側において、前記第１の表示画面を基準とした前記第２の表示画面の反対側となる他端側に前記第２の表示画面から離れて配置される、演出画像を表示する第３の表示画面」を備えるのに対し、引用発明１は、そのような「第３の表示画面」を備えていない点。（構成Ｄ）
（相違点３）本願発明は「第３の表示画面」に関連し、「前記第２の表示画面および前記第３の表示画面は、前記第１の表示画面において実行される、演出内容が段階的に発展することが可能な段階演出の発展と共に、前記第１の表示画面の前記一端側および他端側において離れて配置される第１状態から互いに近づいた第２状態となるように動作することが可能」（構成Ｅ）であり、「前記第２の表示画面および前記第３の表示画面が前記第１状態から前記第２状態となる動作と共に、前記第１の表示画面における段階演出に用いられる演出画像の表示領域を変更可能」（構成Ｆ）であり、「前記第２の表示画面および前記第３の表示画面が前記第１状態から前記第２状態となるときに、前記第２の表示画面と前記第３の表示画面に互いに異なる演出画像を表示可能」（構成Ｇ）であり、「前記第２状態において、前記第１の表示画面における、前記第２の表示画面および前記第３の表示画面よりも外側の領域に演出画像を表示可能」（構成Ｈ）であるのに対して、引用発明１はそのように特定されていない点。
（２）相違点についての判断
　事案に鑑みて、先ず相違点２から検討する。
　引用文献２に記載の事項における「可動役物１４１」及び「可動役物１４２」は、「ステップアップ予告演出作動態様の段階を表示する」ものであるから、引用発明１における「装飾図柄２１１を構成する３列の図柄」が表示される「図柄表示部２１０」とはその機能が異なるものである。
　また、引用文献３に記載の事項における「左液晶表示装置１１５ａ」及び「右液晶表示装置１１５ｂ」は、「中液晶表示装置１１５ｃと協働して装飾図柄１１０ａ〜１１０ｃの変動表示を横スクロールの表示態様で行う」ものであるから、引用発明１における「装飾図柄２１１を構成する３列の図柄が表示可能な図柄表示部２１０」とはその機能が異なるものである。
　よって、引用発明１において、引用文献２に記載の事項または引用文献３に記載の事項を適用することの動機付けがあるとはいえない。
　さらに、引用発明１における「図柄表示部２１０」、引用文献２に記載の事項における「可動役物１４１」及び「可動役物１４２」、引用文献３に記載の事項における「左液晶表示装置１１５ａ」及び「右液晶表示装置１１５ｂ」は、いずれも演出画像を表示するものではない。
　そうすると、引用発明１に引用文献２に記載の事項または引用文献３に記載の事項を適用することは困難であるし、仮に適用できたとしても、「第３の表示画面」に「演出画像を表示する」ことまで、当業者であれば容易に想到し得たこととはいえない。
　次に、相違点３について検討する。
　引用発明１は、「可動表示装置１５０を進退動作させ、その進退動作と共に、中央図柄「８」の縦方向の大きさが変更され、可動表示装置１５０の進退動作と演出表示装置６０に表示される演出画像との協働による演出がなされる」ものであり、また、引用文献２に記載の事項は、「可動役物１４１及び可動役物１４２は、図柄変動装置５の一端側および他端側において離れて配置される第１状態から互いに近づいた第２状態となるように動作することが可能」とする構成を、引用文献３に記載の事項は「左液晶表示装置１１５ａおよび右液晶表示装置１１５ｂは、中液晶表示装置１１５ｃの一端側および他端側において離れて配置される第１状態から互いに近づいた第２状態となるように動作することが可能」とする構成を有しているが、上記相違点２についての検討で述べた通り、引用発明１において、引用文献２に記載の事項または引用文献３に記載の事項を適用することの動機付けがあるとはいえない。
　また、仮に引用発明１において引用文献２に記載の事項または引用文献３に記載の事項を適用し、第３の表示画面を第１の表示画面と離れて配置される第１状態から互いに近づいた第２状態となるように動作することが可能に設けることが当業者が容易に想到し得えたことであるとしても、「前記第２の表示画面および前記第３の表示画面」を、「演出内容が段階的に発展することが可能な段階演出の発展と共に、前記第１の表示画面の前記一端側および他端側において離れて配置される第１状態から互いに近づいた第２状態となるように動作」（構成Ｅ）させることまで、当業者が容易に想到し得ることとはいえない。
　さらに、「前記第２状態において、前記第１の表示画面における、前記第２の表示画面および前記第３の表示画面よりも外側の領域に演出画像を表示可能」（構成Ｈ）とすることは、引用発明１、引用文献２に記載の事項、引用文献３に記載の事項のいずれにも開示されていない。
　そうすると、引用発明１に引用文献２に記載の事項または引用文献３に記載の事項を適用することは困難であるし、仮に適用できたとしても、「前記第２の表示画面および前記第３の表示画面」を、「演出内容が段階的に発展することが可能な段階演出の発展と共に、前記第１の表示画面の前記一端側および他端側において離れて配置される第１状態から互いに近づいた第２状態となるように動作」させること、及び、「前記第２状態において、前記第１の表示画面における、前記第２の表示画面および前記第３の表示画面よりも外側の領域に演出画像を表示可能」とすることまで、当業者であれば容易に想到し得たこととはいえない。
　したがって、相違点１について検討するまでもなく、本願発明は、当業者であっても引用発明１、引用文献２に記載の事項、引用文献３に記載の事項に基づいて容易に発明できたものであるとはいえない。
　さらに、引用発明１、引用文献２に記載された事項、引用文献３に記載された事項をどのように組み合わせたとしても、本願発明が当業者が容易に発明できたものとはいえない。
　また、本願発明は「表示画面の演出画像が可動体によって邪魔されにくくなるように演出を行うことができる」（【０００８】）との効果を奏するものであり、当該効果は、引用発明１、引用文献２に記載された事項、引用文献３に記載された事項から予測し得るものではない。
第６　原査定について
　原査定は、平成２８年７月１３日付けの手続補正が却下され、平成２８年４月２８日付けの手続補正書でした補正は、その補正後の請求項１に係る発明が、その補正前に受けた平成２８年３月４日付けの拒絶理由通知において特許をすることができないものか否かについての判断が示された平成２７年４月２２日付けの手続補正書における請求項１に係る発明と、特許法第３７条の発明の単一性の要件を満たす一群の発明に該当するものではないから、同法第１７条の２第４項に規定する要件を満たしていないとの理由により、拒絶査定がなされたものである。
　そして、平成２８年１１月２日に拒絶査定不服審判の請求がなされると同時に手続補正書が提出されたため、平成２８年１１月２日付けの手続補正書でした補正後の請求項１に係る発明が、平成２８年３月４日付けの拒絶理由通知において特許をすることができないものか否かについての判断が示された平成２７年４月２２日付けの手続補正書における請求項１に係る発明と、特許法第３７条の発明の単一性の要件を満たす一群の発明に該当するものであるか検討する。
１．補正の内容
　平成２８年３月４日付け拒絶理由通知において特許をすることができないものか否かについての判断が示された、平成２７年４月２２日付けの手続補正書における請求項１に係る発明（以下、「本願補正前発明」という。）は、
「　【請求項１】
　遊技者に有利な特別遊技を実行するか否かを判定し、当該判定結果に応じて特別遊技を実行する遊技機であって、
　演出画像を表示画面に表示させる表示制御手段と、
　前記表示画面の前側に配置される可動体の作動を制御する作動制御手段と、
　演出内容が段階的に発展することが可能な段階演出を実行する段階演出実行手段とを備え、
　前記作動制御手段は、前記段階演出において演出内容の発展に応じて前記可動体を作動させ、
　前記表示制御手段は、前記可動体の作動に応じて前記演出画像の表示領域を変更する、遊技機。」
である。
　また、平成２８年１１月２日付け手続補正書でした補正後の本願の請求項１に係る発明（以下、「本願発明」という。）は、
「【請求項１】
　遊技者に有利な特別遊技を実行するか否かを判定し、当該判定の結果に応じて特別遊技を実行する遊技機であって、
　演出画像を表示する第１の表示画面と、
　前記第１の表示画面の前側において前記第１の表示画面の一端側に配置される、演出画像を表示する第２の表示画面と、
　前記第１の表示画面の前側において、前記第１の表示画面を基準とした前記第２の表示画面の反対側となる他端側に前記第２の表示画面から離れて配置される、演出画像を表示する第３の表示画面とを備え、
　前記第２の表示画面および前記第３の表示画面は、前記第１の表示画面において実行される、演出内容が段階的に発展することが可能な段階演出の発展と共に、前記第１の表示画面の前記一端側および他端側において離れて配置される第１状態から互いに近づいた第２状態となるように動作することが可能であり、
　前記第２の表示画面および前記第３の表示画面が前記第１状態から前記第２状態となる動作と共に、前記第１の表示画面における段階演出に用いられる演出画像の表示領域を変更可能であり、前記第２の表示画面および前記第３の表示画面が前記第１状態から前記第２状態となるときに、前記第２の表示画面と前記第３の表示画面に互いに異なる演出画像を表示可能であり、前記第２状態において、前記第１の表示画面における、前記第２の表示画面および前記第３の表示画面よりも外側の領域に演出画像を表示可能である、遊技機。」
である。
２．判断
　本願発明には、「演出画像を表示画面に表示させる表示制御手段」を備える点は特定されていないが、「演出画像を表示する第１の表示画面」を備えているので、当該演出画像を表示させるための何らかの「表示制御手段」を有していることは明らかである。
　本願発明には、「前記表示画面の前側に配置される可動体の作動を制御する作動制御手段」を備える点は特定されていないが、「前記第２の表示画面および前記第３の表示画面は、前記第１の表示画面において実行される、演出内容が段階的に発展することが可能な段階演出の発展と共に、前記第１の表示画面の前記一端側および他端側において離れて配置される第１状態から互いに近づいた第２状態となるように動作することが可能」であるから、「前記第２の表示画面および前記第３の表示画面」の作動を制御し、「第１状態から互いに近づいた第２状態となるように動作することが可能」とするための何らかの「作動制御手段」を有していることは明らかである。
　本願発明には、「演出内容が段階的に発展することが可能な段階演出を実行する段階演出実行手段」を備える点は特定されていないが、「演出内容が段階的に発展することが可能な段階演出の発展」が「前記第１の表示画面において実行される」ものであるから、「演出内容が段階的に発展することが可能な段階演出の発展」を実行するための何らかの「段階演出実行手段」を有していることは明らかである。
　そうすると、本願補正前発明と本願発明とは、
「遊技者に有利な特別遊技を実行するか否かを判定し、当該判定結果に応じて特別遊技を実行する遊技機であって、
　演出画像を表示画面に表示させる表示制御手段と、
　前記表示画面の前側に配置される可動体の作動を制御する作動制御手段と、
　演出内容が段階的に発展することが可能な段階演出を実行する段階演出実行手段とを備え、
　前記作動制御手段は、前記段階演出において演出内容の発展に応じて前記可動体を作動させ、
　前記表示制御手段は、前記可動体の作動に応じて前記演出画像の表示領域を変更する、遊技機。」
である点で共通する特別な技術的特徴を有している。
　そして、当該特別な技術的特徴は、発明の先行技術に対する貢献をもたらすものではないということもできない。
　よって、本願補正前発明と本願発明とは、発明の単一性を満たす一群の発明に該当する。
第７　むすび
　以上のとおり、原査定の理由によっては、本願を拒絶することはできない。
　また、他に本願を拒絶すべき理由を発見しない。
　よって、結論のとおり審決する。